【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
コンピュータにより実現される、タクソノミーを管理する方法において、
第１の複数のカテゴリを有する第１のタクソノミーを取得することと、
１つ以上の第２のタクソノミーを取得し、第２の複数のカテゴリが前記１つ以上の第２のタクソノミーに関係付けられていることと、
コンテンツアイテムからの証拠用語を使用して、前記第１のタクソノミーのコンテンツに対する１組のコンテンツプロファイルを解析することと、
コンピュータプロセッサを使用して、前記第１のタクソノミーのコンテンツに対する１組のコンテンツプロファイルの解析に少なくとも部分的に基づいて、前記第１のタクソノミーの前記第１の複数のカテゴリの少なくとも１つに対するカテゴリプロファイルを発生させることと、
自動ツリー横断アルゴリズムを使用して、前記第１の複数のカテゴリのそれぞれのカテゴリプロファイルと前記第２の複数のカテゴリのそれぞれのカテゴリプロファイルとを比較して、マッチングしているカテゴリと、マッチングしていないカテゴリとを識別することと、
前記マッチングしているカテゴリと前記マッチングしていないカテゴリとを含む、第３のタクソノミーを作成することと
を含み、
前記比較は、カテゴリプロファイル間の比較がしきい値を上回るときにマッチングを識別する比較器機能を適用することを含み、
前記第３のタクソノミーの作成は、指定された順序での複数のタスクの校閲および承認を有するタクソノミーワークフロープロセスを含み、
前記第１のタクソノミー、前記１つ以上の第２のタクソノミー、および、前記第３のタクソノミーはそれぞれ、階層的に組織化されて、統制語彙中の用語間の関係を表す統制語彙を含み、前記第１のタクソノミー、前記１つ以上の第２のタクソノミー、および、前記第３のタクソノミーのカテゴリはそれぞれ、少なくとも１つのラベル付けされた語彙用語を含む方法。
【請求項２】
前記第１の複数のカテゴリのそれぞれと前記第２の複数のカテゴリのそれぞれとが、１つ以上のコンテンツアイテムに関係付けられている、請求項１記載の方法。
【請求項３】
コンピュータプログラムの命令を記憶するための少なくとも１つの一時的でないプロセッサ読取可能記憶媒体において、
前記コンピュータプログラムの命令は、少なくとも１つのプロセッサによって読み取られて、前記少なくとも１つのプロセッサに、請求項１記載の方法を実行させるためのコンピュータプロセスを実行させる、プロセッサ読取可能記憶媒体。
【請求項４】
コンピュータにより実現される、タクソノミーを管理する方法において、
少なくとも１つの第１のカテゴリを有する第１のタクソノミーと１つ以上の第２のタクソノミーとを取得し、少なくとも１つの第２のカテゴリが、前記１つ以上の第２のタクソノミーの少なくとも１つに関係付けられていることと、
コンテンツアイテムからの証拠用語を使用して、前記第１のタクソノミーのコンテンツに対する１組のコンテンツプロファイルを解析することと、
コンピュータプロセッサを使用して、前記第１のタクソノミーのコンテンツに対する１組のコンテンツプロファイルの解析に少なくとも部分的に基づいて、前記第１のタクソノミーの前記少なくとも１つの第１のカテゴリに対するカテゴリプロファイルを発生させることと、
前記少なくとも１つの第１のカテゴリの第１のカテゴリプロファイルと前記少なくとも１つの第２のカテゴリの第２のカテゴリプロファイルとの比較に基づいて、前記第１のタクソノミーと前記第２のタクソノミーとをマージすることによって、新しいタクソノミーを作成することと
を含み、
前記比較は、カテゴリプロファイル間の比較がしきい値を上回るときにマッチングを識別する比較器機能を適用することを含み、
前記第１のタクソノミー、前記１つ以上の第２のタクソノミー、および、前記新しいタクソノミーはそれぞれ、階層的に組織化されて、統制語彙中の用語間の関係を表す統制語彙を含み、前記第１のタクソノミー、前記１つ以上の第２のタクソノミー、および、前記新しいタクソノミーのカテゴリはそれぞれ、少なくとも１つのラベル付けされた語彙用語を含み、
前記新しいタクソノミーの作成は、指定された順序での複数のタスクの校閲および承認を有するタクソノミーワークフロープロセスを含む方法。
【請求項５】
タクソノミータイプの選択を受信することをさらに含む、請求項４記載の方法。
【請求項６】
前記比較が前記しきい値を上回らない場合に、
前記少なくとも１つの第１のカテゴリと前記少なくとも１つの第２のカテゴリとの両方を前記新しいタクソノミーに追加すること
をさらに含む、請求項４記載の方法。
【請求項７】
前記比較が前記しきい値を上回る場合に、
前記少なくとも１つの第１のカテゴリを前記新しいタクソノミーに追加することと、
前記少なくとも１つの第１のカテゴリと、前記少なくとも１つの第２のカテゴリとの間に関係を作成することと
をさらに含む、請求項４記載の方法。
【請求項８】
前記第１のタクソノミーと前記第２のタクソノミーのどちらがより多くの数のカテゴリを含んでいるかに基づいて、前記第２のタクソノミーに関して前記第１のタクソノミーを順序付けすることをさらに含む、請求項４記載の方法。
【請求項９】
前記少なくとも１つの第１のカテゴリと前記少なくとも１つの第２のカテゴリとを有するカテゴリリストを作成することをさらに含む、請求項４記載の方法。
【請求項１０】
タクソノミー内マッピングを作成して、前記新しいタクソノミー中で、前記少なくとも１つの第１のカテゴリを前記少なくとも１つの第２のカテゴリに関係付けることをさらに含む、請求項４記載の方法。
【請求項１１】
カテゴリプロファイルは、機械学習プロセスを使用して発生される、請求項４記載の方法。
【請求項１２】
カテゴリプロファイルは、ｋ−最近傍法（ｋｎｎ）分類を使用して発生される、請求項４記載の方法。
【請求項１３】
前記新しいタクソノミーに対して、タクソノミー間マッピングを作成することをさらに含む、請求項４記載の方法。
【請求項１４】
前記タクソノミー間マッピングは、前記新しいタクソノミー中のカテゴリ間の親子関係を作成する、請求項１３記載の方法。
【請求項１５】
前記タクソノミー間マッピングは、前記新しいタクソノミー中にツリー構造を作成する、請求項１３記載の方法。
【請求項１６】
カテゴリプロファイルは、シングルベクターマシン（ＳＶＭ）を使用して発生される、請求項４記載の方法。
【請求項１７】
ネットワークに通信可能に結合され、少なくとも１つの第１のカテゴリを有している第１のタクソノミーを記憶する第１のコンテンツ情報源と、
ネットワークに通信可能に結合され、少なくとも１つの第２のカテゴリを有している第２のタクソノミーを記憶する第２のコンテンツ情報源と、
ネットワークに通信可能に結合され、第１のタクソノミーと第２のタクソノミーとを識別するデータを発生させるクライアントデバイスと、
ネットワークに通信可能に結合され、データを受信し、前記第１のタクソノミーと前記第２のタクソノミーとを取得し、コンテンツアイテムからの証拠用語を使用して、前記第１のタクソノミーのコンテンツに対する１組のコンテンツプロファイルを解析するサーバと
を具備し、
前記サーバは、
前記第１のタクソノミーのコンテンツに対する１組のコンテンツプロファイルの解析に少なくとも部分的に基づいて、前記第１のタクソノミーの前記少なくとも１つの第１のカテゴリに対するカテゴリプロファイルを発生させるように、
前記少なくとも１つの第１のカテゴリの第１のカテゴリプロファイルと、前記少なくとも１つの第２のカテゴリの第２のカテゴリプロファイルとの比較に基づいて、前記第１のタクソノミーと前記第２のタクソノミーとをマージすることによって、新しいタクソノミーを作成するように
さらに構成されており、
前記比較は、カテゴリプロファイル間の比較がしきい値を上回るときにマッチングを識別する比較器機能を適用することを含み、
前記新しいタクソノミーの作成は、指定された順序での複数のタスクの校閲および承認を有するタクソノミーワークフロープロセスを含み、
前記第１のタクソノミー、および、前記第２のタクソノミーはそれぞれ、階層的に組織化されて、統制語彙中の用語間の関係を表す統制語彙を含み、前記第１のタクソノミー、および、前記第２のタクソノミーのカテゴリはそれぞれ、少なくとも１つのラベル付けされた語彙用語を含むシステム。
【請求項１８】
ネットワークに通信可能に結合されている１つ以上のプロセッサを具備するシステムにおいて、
前記１つ以上のプロセッサは、
１つ以上のコンテンツ情報源から第１のタクソノミーと第２のタクソノミーとを取得し、第１のタクソノミーは少なくとも１つの第１のカテゴリを有し、第２のタクソノミーは少なくとも１つの第２のカテゴリを有し、
コンテンツアイテムからの証拠用語を使用して、前記第１のタクソノミーのコンテンツに対する１組のコンテンツプロファイルを解析し、
前記第１のタクソノミー、および、第２のタクソノミーのコンテンツに対する１組のコンテンツプロファイルの解析に少なくとも部分的に基づいて、前記少なくとも１つの第１のカテゴリに対して第１のカテゴリプロファイルを発生させ、前記少なくとも１つの第２のカテゴリに対して第２のカテゴリプロファイルを発生させ、
前記第１のカテゴリプロファイルと前記第２のカテゴリプロファイルとの比較に基づいて、前記第１のタクソノミーと前記第２のタクソノミーとをマージすることによって、新しいタクソノミーを作成する
ように構成されており、
前記比較は、カテゴリプロファイル間の比較がしきい値を上回るときにマッチングを識別する比較器機能を適用することを含み、
前記新しいタクソノミーの作成は、指定された順序での複数のタスクの校閲および承認を有するタクソノミーワークフロープロセスを含み、
前記第１のタクソノミー、前記第２のタクソノミー、および、前記新しいタクソノミーはそれぞれ、階層的に組織化されて、統制語彙中の用語間の関係を表す統制語彙を含み、前記第１のタクソノミー、前記第２のタクソノミー、および、前記新しいタクソノミーのカテゴリはそれぞれ、少なくとも１つのラベル付けされた語彙用語を含むシステム。
【請求項１９】
コンピュータにより実現される、タクソノミーを管理する方法において、
第１の複数のカテゴリを有する第１のタクソノミーを取得することと、
１つ以上の第２のタクソノミーを取得し、第２の複数のカテゴリが前記１つ以上の第２のタクソノミーに関係付けられていることと、
コンピュータプロセッサを使用して、機械学習アルゴリズムに基づいて、それぞれの取得されたタクソノミーに対するカテゴリプロファイルをビルドすることと、
前記第１の複数のカテゴリのそれぞれのカテゴリプロファイルと前記第２の複数のカテゴリのそれぞれのカテゴリプロファイルとを比較して、マッチングしているカテゴリと、マッチングしていないカテゴリとを識別することと、
前記第１のタクソノミー、および、前記第２の組のタクソノミー中の類似のカテゴリの間で、１組の関係付けを作成することと
を含み、
前記１組の関係付けの作成は、指定された順序での複数のタスクの校閲および承認を有するタクソノミーワークフロープロセスを含み、
前記第１のタクソノミー、および、前記１つ以上の第２のタクソノミーはそれぞれ、階層的に組織化されて、統制語彙中の用語間の関係を表す統制語彙を含み、前記第１のタクソノミー、および、前記１つ以上の第２のタクソノミーのカテゴリはそれぞれ、少なくとも１つのラベル付けされた語彙用語を含む方法。
【請求項２０】
コンピュータプロセッサを使用して、少なくとも１つの第１のカテゴリを有する第１のタクソノミー、および、１つ以上の第２のタクソノミーを取得することと、少なくとも１つの第２のカテゴリが前記１つ以上の第２のタクソノミーの少なくとも１つに関係付けられていることと、
前記第１のタクソノミー中のカテゴリプロファイルと前記第２のタクソノミー中のカテゴリプロファイルとの比較に基づいて、第１のタクソノミーの１つ以上のカテゴリ、および、前記第２の組のタクソノミーの１つ以上のカテゴリの間で、１組の関係付けを作成することと
を含み、
前記１組の関係付けの作成は、指定された順序での複数のタスクの校閲および承認を有するタクソノミーワークフロープロセスを含み、
前記第１のタクソノミー、および、前記１つ以上の第２のタクソノミーはそれぞれ、階層的に組織化されて、統制語彙中の用語間の関係を表す統制語彙を含み、前記第１のタクソノミー、および、前記１つ以上の第２のタクソノミーのカテゴリはそれぞれ、少なくとも１つのラベル付けされた語彙用語を含む方法。
【手続補正２】
【補正対象書類名】明細書
【補正対象項目名】０１１５
【補正方法】変更
【補正の内容】
【０１１５】
本開示は特許請求の範囲のプロセスの枠組み内で特に示し、説明したが、変形および修正が本開示の範囲を逸脱することなく当業者にとって実行可能になることが理解されるだろう。さらに、そのようなプロセスおよびシステムはここで説明した特定の実施形態に制限される必要がないことを当業者は理解するだろう。  
以下に、本願出願の当初の特許請求の範囲に記載された発明を付記する。
［１］コンピュータにより実現される方法において、
第１の複数のカテゴリを有する第１のタクソノミーを取得するステップと、
１つ以上の第２のタクソノミーを取得し、第２の複数のカテゴリが前記１つ以上の第２のタクソノミーに関係付けられているステップと、
前記第１の複数のカテゴリのそれぞれのカテゴリプロファイルと前記第２の複数のカテゴリのそれぞれのカテゴリプロファイルとを比較して、マッチングしているカテゴリと、マッチングしていないカテゴリとを識別するステップと、
前記マッチングしているカテゴリと前記マッチングしていないカテゴリとを含む、第３のタクソノミーを作成するステップと
を含む方法。
［２］前記第１の複数のカテゴリのそれぞれと前記第２の複数のカテゴリのそれぞれとが、１つ以上のコンテンツアイテムに関係付けられている、上記［１］の方法。
［３］前記比較することは、カテゴリプロファイル間の比較がしきい値を上回るときにマッチングを識別する比較器機能を適用する、上記［１］の方法。
［４］少なくとも１つの第１のカテゴリを有する第１のタクソノミーと１つ以上の第２のタクソノミーとを取得し、少なくとも１つの第２のカテゴリが、前記１つ以上の第２のタクソノミーの少なくとも１つに関係付けられていることと、
前記少なくとも１つの第１のカテゴリの第１のカテゴリプロファイルと前記少なくとも１つの第２のカテゴリの第２のカテゴリプロファイルとの比較に基づいて、前記第１のタクソノミーと前記第２のタクソノミーとをマージすることによって、新しいタクソノミーを作成することと
を含む方法。
［５］タクソノミータイプの選択を受信することをさらに含む、上記［４］の方法。
［６］前記比較を実行するためのカテゴリ比較器機能を識別することをさらに含む、上記［４］の方法。
［７］前記第１のカテゴリプロファイルと前記第２のカテゴリプロファイルとに前記比較器機能を適用して、前記少なくとも１つの第１のカテゴリが前記少なくとも１つの第２のカテゴリにマッチングしているかどうかを決定することをさらに含む、上記［６］の方法。
［８］前記比較がしきい値を上回る場合、前記比較器機能はマッチングしていることを識別する、上記［７］の方法。
［９］前記比較が前記しきい値を上回らない場合に、
前記少なくとも１つの第１のカテゴリと前記少なくとも１つの第２のカテゴリとの両方を前記新しいタクソノミーに追加すること
をさらに含む、上記［８］の方法。
［１０］前記比較が前記しきい値を上回る場合に、
前記少なくとも１つの第１のカテゴリを前記新しいタクソノミーに追加することと、
前記少なくとも１つの第１のカテゴリと、前記少なくとも１つの第２のカテゴリとの間に関係を作成することと
をさらに含む、上記［８］の方法。
［１１］前記第１のタクソノミーと前記第２のタクソノミーのどちらがより多くの数のカテゴリを含んでいるかに基づいて、前記第２のタクソノミーに関して前記第１のタクソノミーを順序付けすることをさらに含む、上記［４］の方法。
［１２］前記少なくとも１つの第１のカテゴリと前記少なくとも１つの第２のカテゴリとを有するカテゴリリストを作成することをさらに含む、上記［４］の方法。
［１３］タクソノミー内マッピングを作成して、前記新しいタクソノミー中で、前記少なくとも１つの第１のカテゴリを前記少なくとも１つの第２のカテゴリに関係付けることをさらに含む、上記［４］の方法。
［１４］カテゴリプロファイルは、シングルベクターマシン（ＳＶＭ）を使用して発生される、上記［４］の方法。
［１５］カテゴリプロファイルは、ｋ−最近傍法（ｋｎｎ）分類を使用して発生される、上記［４］の方法。
［１６］前記新しいタクソノミーに対して、タクソノミー内マッピングを作成することをさらに含む、上記［４］の方法。
［１７］前記タクソノミー内マッピングは、前記新しいタクソノミー中のカテゴリ間の親子関係を作成する、上記［１６］の方法。
［１８］前記タクソノミー内マッピングは、前記新しいタクソノミー中にツリー構造を作成する、上記［１６］の方法。
［１９］ネットワークに通信可能に結合され、少なくとも１つの第１のカテゴリを有している第１のタクソノミーを記憶する第１のコンテンツ情報源と、
ネットワークに通信可能に結合されている第２のコンテンツ情報源と、
前記第１のコンテンツ情報源は少なくとも１つの第２のカテゴリを有している第２のタクソノミーを記憶し、
ネットワークに通信可能に結合され、第１のタクソノミーと第２のタクソノミーとを識別するデータを発生させるクライアントデバイスと、
ネットワークに通信可能に結合され、データを受信し、前記第１のタクソノミーと前記第２のタクソノミーとを取得するサーバと
を具備し、
前記サーバは、前記少なくとも１つの第１のカテゴリの第１のカテゴリプロファイルと、前記少なくとも１つの第２のカテゴリの第２のカテゴリプロファイルとの比較に基づいて、前記第１のタクソノミーと前記第２のタクソノミーとをマージすることによって、新しいタクソノミーを作成するようにさらに構成されているシステム。
［２０］１つ以上のコンテンツ情報源から第１のタクソノミーと第２のタクソノミーとを取得し、第１のタクソノミーは少なくとも１つの第１のカテゴリを有し、第２のタクソノミーは少なくとも１つの第２のカテゴリを有する情報源コネクタモジュールと、
前記少なくとも１つの第１のカテゴリに対して第１のカテゴリプロファイルを発生させ、前記少なくとも１つの第２のカテゴリに対して第２のカテゴリプロファイルを発生させるカテゴリコンテンツモジュールと、
前記第１のカテゴリプロファイルと前記第２のカテゴリプロファイルとの比較に基づいて、前記第１のタクソノミーと前記第２のタクソノミーとをマージすることによって、新しいタクソノミーを作成するタクソノミーマージプログラムモジュールと
を具備する装置。